【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
画像を画面に表示する表示手段と、
ユーザの指示に基づいて、前記表示手段で表示された画像にマーカーを描画するマーカー描画手段と、
前記マーカー描画手段により描画されたマーカーを含む領域の画像を前記画面に拡大表示する拡大表示手段と、
前記拡大表示手段により拡大表示された前記マーカーを含む領域の画像を、前記拡大表示手段により拡大表示する前の拡大率になるように縮小表示する縮小表示手段と、
を有することを特徴とする画像表示装置。
【請求項２】
前記縮小表示手段は、前記拡大表示手段により前記マーカーを含む領域が拡大表示されて所定の時間が経過したと判断した場合、前記画面に表示されている画像を、前記拡大表示手段により拡大表示する前の拡大率になるように縮小表示することを特徴とする請求項１に記載の画像表示装置。
【請求項３】
前記縮小表示手段は、前記拡大表示手段により前記マーカーを含む領域が拡大表示されて所定の時間が経過したと判断した場合、前記画面に表示されている画像を、前記拡大表示手段により拡大表示する前の拡大率になるまで、所定の遷移時間をかけて徐々に縮小表示していくことを特徴とする請求項１に記載の画像表示装置。
【請求項４】
前記縮小表示手段は、前記画面に表示されている画像を前記所定の遷移時間をかけて縮小表示する際に、前記マーカーを徐々に薄くすることを特徴とする請求項３に記載の画像表示装置。
【請求項５】
前記縮小表示手段は、前記拡大表示手段により前記マーカーを含む領域が拡大表示されているときに、ユーザにより拡大表示の解除指示が為されたと判断した場合、前記画面に表示されている画像を、前記拡大表示手段により拡大表示する前の拡大率になるように縮小表示することを特徴とする請求項１に記載の画像表示装置。
【請求項６】
前記縮小表示手段は、前記拡大表示手段により前記マーカーを含む領域が拡大表示されているときに、前記ユーザにより拡大表示の解除指示が為されたと判断した場合、前記画面に表示されている画像を、前記拡大表示手段により拡大表示する前の拡大率になるまで、所定の遷移時間をかけて徐々に縮小表示していくことを特徴とする請求項１に記載の画像表示装置。
【請求項７】
前記縮小表示手段は、前記画面に表示されている画像を前記所定の遷移時間をかけて縮小表示する際に、前記マーカーを徐々に薄くすることを特徴とする請求項６に記載の画像表示装置。
【請求項８】
前記拡大表示手段は、前記描画されたマーカーの位置に基づいて決定される前記描画されたマーカーを含む領域の画像を、前記画面に拡大表示するように制御することを特徴とする請求項１乃至７のいずれか１項に記載の画像表示装置。
【請求項９】
前記拡大表示手段は、前記描画されたマーカーの位置と前記指示がなされた位置とに基づいて決定される前記描画されたマーカーを含む領域の画像を、前記画面に拡大表示するように制御することを特徴とする請求項１乃至７のいずれか１項に記載の画像表示装置。
【請求項１０】
前記ユーザの指示が為されて、所定の表示時間が経過した場合、前記描画されたマーカーを徐々に薄くしていった後、当該マーカーを削除する削除手段を、更に有することを特徴とする請求項１乃至９のいずれか１項に記載の画像表示装置。
【請求項１１】
ページ画像内の文書構成要素ごとの部分領域を認識する認識手段を更に有し、
前記表示手段で前記画面に表示するように制御される画像は、前記認識手段で認識された部分領域の画像であることを特徴とする請求項１乃至１０のいずれか１項に記載の画像表示装置。
【請求項１２】
前記画面は、有線または無線を介して接続された画面であることを特徴とする請求項１乃至１１のいずれか１項に記載の画像表示装置。
【請求項１３】
前記画像表示装置は、移動端末であることを特徴とする請求項１乃至１２のいずれか１項に記載の画像表示装置。
【請求項１４】
コンピュータを、請求項１乃至１２のいずれか１項に記載の画像表示装置の各手段として機能させるためのプログラム。
【請求項１５】
請求項１４に記載のプログラムを記憶した、コンピュータ読み出し可能な記憶媒体。
【請求項１６】
画像を画面に表示する表示ステップと、
ユーザの指示に基づいて、前記表示ステップで表示された画像にマーカーを描画するマーカー描画ステップと、
前記マーカー描画ステップで前記描画されたマーカーを含む領域の画像を前記画面に拡大表示する拡大表示ステップと、
前記拡大表示ステップで拡大表示された前記マーカーを含む領域の画像を、前記拡大表示ステップで拡大表示する前の拡大率になるように縮小表示する縮小表示ステップと、
を有することを特徴とする画像表示方法。
【請求項１７】
画像に含まれる複数のオブジェクトの解析結果を取得する取得手段と、
前記画像のうち、表示対象である第１のオブジェクトを含む前記画像の一部を前記第１のオブジェクトの属性に基づいて設定された表示倍率と表示位置に基づき画面に表示させ、
前記第１のオブジェクト以外のオブジェクトを前記画面に表示させるための指示を受けると、前記画像のうち、前記取得手段により取得された解析結果で示された第２のオブジェクトであって次に表示すべき第２のオブジェクトを含む前記画像の一部を前記第２のオブジェクトの属性に基づいて設定された表示倍率と表示位置に基づき前記画面に表示させる表示制御手段と、を有し
前記表示制御手段は、前記第１のオブジェクト以外のオブジェクトを前記画面に表示させるための指示を受ける前に、前記画面に表示された前記第１のオブジェクトを含む前記画像の一部に対しユーザの指示に基づいてマーカーが描画されると、前記マーカーを含む領域の画像を前記画面に拡大表示することを特徴とする画像表示装置。
【請求項１８】
画像に含まれる複数のオブジェクトの解析結果を取得する取得ステップと、
前記画像のうち、表示対象である第１のオブジェクトを含む前記画像の一部を前記第１のオブジェクトの属性に基づいて設定された表示倍率と表示位置に基づき画面に表示させ、
前記第１のオブジェクト以外のオブジェクトを前記画面に表示させるための指示を受けると、前記画像のうち、前記取得ステップにより取得された解析結果で示された第２のオブジェクトであって次に表示すべき第２のオブジェクトを含む前記画像の一部を前記第２のオブジェクトの属性に基づいて設定された表示倍率と表示位置に基づき前記画面に表示させる表示制御ステップと、
を有し
前記表示制御ステップでは、前記第１のオブジェクト以外のオブジェクトを前記画面に表示させるための指示を受ける前に、前記画面に表示された前記第１のオブジェクトを含む前記画像の一部に対しユーザの指示に基づいてマーカーが描画されると、前記マーカーを含む領域の画像を前記画面に拡大表示することを特徴とする画像表示方法。
【手続補正２】
【補正対象書類名】明細書
【補正対象項目名】０００７
【補正方法】変更
【補正の内容】
【０００７】
上記課題を解決するために、本発明の画像表示装置は、画像を画面に表示する表示手段と、ユーザの指示に基づいて、前記表示手段で表示された画像にマーカーを描画するマーカー描画手段と、前記マーカー描画手段により描画されたマーカーを含む領域の画像を前記画面に拡大表示する拡大表示手段と、前記拡大表示手段により拡大表示された前記マーカーを含む領域の画像を、前記拡大表示手段により拡大表示する前の拡大率になるように縮小表示する縮小表示手段と、を有する。